(57)【要約】      （修正有）【課題】ユーザが注視する方向を検知して、検知した結果に基づいてデジタル撮像装置の設定を行うことができる改良されたデジタル撮像方法を提供すること。【解決手段】デジタル撮像装置は、ユーザの注視方向を検知またはトラッキングする。検知された注視方向は、デジタル撮像装置において１または複数の機能を設定することに使用される。そして、ユーザの注視方向の履歴は、取り込んだデジタル画像とともに、自動画像後処理装置による後の使用のために記憶される。【選択図】図１Ａ
2005033768.tif 000002
【特許請求の範囲】
【請求項１】
デジタル撮像装置の動作を制御する方法であって、
デジタル画像合成プロセス全体を通して、デジタル撮像装置を通してシーンを見ているユーザの注視方向を追跡するステップと、
前記注視方向が留まっている前記シーンの一部を含む少なくとも１つの滞留位置を特定するステップと、
前記少なくとも１つの滞留位置を重みづけするステップと、
重みづけされた前記滞留位置に従って、前記デジタル撮像装置の少なくとも１つの機能を設定するステップと、
を含むデジタル撮像装置の動作を制御する方法。
【請求項２】
重みづけされた前記滞留位置に従って前記デジタル撮像装置の少なくとも１つの機能を設定したことに応答して、前記デジタル撮像装置によって取り込まれたデジタル画像に前記シーンがどのように現れるかを示すプレビューを表示するステップをさらに含む、請求項１記載のデジタル撮像装置の動作を制御する方法。
【請求項３】
前記デジタル撮像装置にデジタル画像を取り込むステップと、
前記デジタル画像とともに、メタデータとして少なくとも１つの滞留位置を格納するステップと、
をさらに含む請求項１記載のデジタル撮像装置の動作を制御する方法。
【請求項４】
デジタル撮像装置によって取り込まれたデジタル画像を格納する方法であって、
デジタル画像合成プロセス全体を通して、デジタル撮像装置を通してシーンを見ているユーザの注視方向を追跡するステップと、
前記注視方向が留まっている前記シーンの一部を含む少なくとも１つの滞留位置を特定するステップと、
前記デジタル撮像装置にデジタル画像を取り込むステップと、
前記デジタル画像とともに、メタデータとして少なくとも１つの滞留位置を格納するステップと、
を含むデジタル撮像装置によって取り込まれたデジタル画像を格納する方法。
【請求項５】
デジタル撮像装置の動作を制御する方法であって、
デジタル撮像装置を通してシーンを見ているユーザの注視方向を感知するステップであって、前記注視方向は、前記シーンの特定部分を含む滞留位置に対応する、前記注視方向を感知するステップと、
前記デジタル撮像装置にデジタル画像を取り込むステップと、
前記デジタル画像とともに、前記滞留位置をメタデータとして格納するステップと、
を含むデジタル撮像装置の動作を制御する方法。
【請求項６】
デジタル撮像装置であって、
デジタル画像合成プロセス全体を通して、デジタル撮像装置を通してシーンを見ているユーザの注視方向を追跡する視線追跡サブシステムと、
該視線追跡サブシステムの出力を解析し、前記注視方向が留まっている前記シーンの一部を含む少なくとも１つの滞留位置を特定する注視持続時間測定ロジックと、
前記少なくとも１つの滞留位置を重みづけするように構成された重みづけロジックと、
重みづけされた前記滞留位置に従って前記デジタル撮像装置の少なくとも１つの機能を設定するように構成された制御ロジックと、
を備えたデジタル撮像装置。
【請求項７】
デジタル撮像装置であって、
デジタル画像合成プロセス全体を通して、デジタル撮像装置を通してシーンを見ているユーザの注視方向を追跡する視線追跡サブシステムと、
該視線追跡サブシステムの出力を解析し、前記注視方向が留まっている前記シーンの一部を含む少なくとも１つの滞留位置を特定する注視持続時間測定ロジックと、
デジタル画像を取り込む撮像モジュールと、
前記デジタル画像とともに、少なくとも１つの滞留位置がメタデータとして格納されるメモリと、
を備えたデジタル撮像装置。
【請求項８】
デジタル撮像装置であって、
デジタル撮像装置を通してシーンを見ているユーザの注視方向を検知する視線追跡サブシステムであって、前記注視方向は、前記シーンの特定部分を含む滞留位置に対応する、前記視線追跡サブシステムと、
前記滞留位置に従って前記デジタル撮像装置の少なくとも１つの機能を設定するように構成された制御ロジックと、
デジタル画像を取り込む撮像モジュールと、
前記デジタル画像とともに、前記滞留位置がメタデータとして格納されるメモリと、
を備えたデジタル撮像装置。
【発明の詳細な説明】
【技術分野】
【０００１】
本発明は、包括的に、デジタルカメラ等のデジタル撮像装置に関し、特に、かかる装置のユーザインタフェースに関する。
【０００２】
［関連出願］
本願は、２００３年４月２８日に出願された米国特許出願第１０／４２５，２９３号「Method and Apparatus for Automatic Post-Processing of a Digital Image」に関連する。
【背景技術】
【０００３】
オートフォーカス、自動露出、および自動カラーバランスは、フィルム式カメラおよびデジタル式カメラの両方で標準的な機構になっている。カメラによっては、視線追跡ユーザインタフェースを使用してオートフォーカスを制御するものがある。このようなカメラは、シーンのどの部分をユーザが見ているかを、ユーザの目が配置されている方向を感知することによって決定する。オートフォーカス距離は、ユーザが注視しているシーンの部分に従って設定することができる。
【０００４】
最も単純な形態の視線追跡を採用したカメラでは、オートフォーカス距離は、Ｓ１（２位置シャッタリリースボタンの中間位置）が起動された瞬間に、ユーザがどこを見ているかをベースとする。より高度なカメラは、写真合成プロセス全体を通してのユーザの注視方向を追跡し、シーンの様々な部分を見ているユーザに応答して、それに従ってオートフォーカス設定を更新することができる。しかし、このように高度なカメラであっても、視線追跡制御の使用を通して提供することのできる他の有用な機構を備えていない。
【発明の開示】
【発明が解決しようとする課題】
【０００５】
したがって、視線追跡制御を使用する改良されたデジタル撮像方法および同装置に対する必要性が当該技術分野にあることは明らかである。
【課題を解決するための手段】
【０００６】
視線追跡制御を使用してデジタル撮像装置の動作を制御する方法を提供する。本方法を実行する装置も提供する。
【０００７】
本発明であるデジタル撮像装置の動作を制御する方法は、デジタル画像合成プロセス全体を通して、デジタル撮像装置を通してシーンを見ているユーザの注視方向を追跡するステップと、前記注視方向が留まっている前記シーンの一部を含む少なくとも１つの滞留位置を特定するステップと、前記少なくとも１つの滞留位置を重みづけ（weight）するステップと、前記重みづけされた滞留位置に従って、前記デジタル撮像装置の少なくとも１つの機能を設定するステップと、を含む
本発明の他の態様および利点は、本発明の原理を例として示す添付図面と併せて行われる以下の詳細な説明から明らかになろう。
【発明を実施するための最良の形態】
【０００８】
視線追跡制御を使用して、オートフォーカスに加えてデジタル撮像装置の他のパラメータ、たとえば露出およびカラーバランス等を制御することによって、視線追跡制御をより効果的に使用することができる。デジタルカメラ等のデジタル撮像装置では、シーンがデジタル画像に取り込まれた場合にどのように見えるかについてのプレビューを表示して、ユーザに即時にフィードバックを提供することができる。ユーザがシーンの様々な部分を見ているとき、プレビューはそれに従って更新することが可能である。視線追跡制御による露出およびカラーバランス等、パラメータの調整もまた、シーン内の局限化された領域（たとえば、空のみ）に適用することができ、局限化された領域のプレビューを表示することができる。このような実施形態では、視線追跡制御は、「覆い焼きおよび焼き込み（dodge-and-burn）」効果の形をシミュレートする局限化プロセスを指示する。
【０００９】
画像合成プロセス全体を通してのユーザの注視方向の履歴を格納することにより、他の利点が提供される。第１に、オートフォーカス、露出、およびカラーバランス等のパラメータを、複数の「滞留位置」または注視固定点（合成プロセス中にユーザの注視が留まっている、シーンの部分）の重み付けに基づいて調整することができる。たとえば、より長い滞留時間が関連づけられたより新しい滞留位置には、他の滞留位置よりも重く重みづけすることができる。第２に、デジタル画像とともに、メタデータとして単一の滞留位置またはそれぞれに滞留時間が関連付けられたより豊富な滞留位置の履歴を格納することにより、さらに他の機能が可能になる。たとえば、デジタル画像処理システムは、画像に付随するメタデータに基づいて、画像を自動的に後処理することができる。たとえば、画像が、単一の滞留位置に従って自動的にクロッピングしたり、または複数の滞留位置の重みづけを利用して、ユーザが介入する必要なく、画像をインテリジェントに変更することができたりする。
【００１０】
本発明のこれらおよび他の態様について、この詳細な説明の残りの部分でより完全に説明することにする。
【００１１】
図１Ａは、本発明の例示的な実施形態によるデジタル撮像装置１００の機能ブロック図である。図１Ａでは、コントローラ１０５がデータバス１１０を介して撮像モジュール１１５、メモリ１２０、ディスプレイ１２５、視線追跡サブシステム１３０、および入力制御機構１３５と通信する。コントローラ１０５は、たとえば、マイクロプロセッサまたはマイクロコントローラを含むことができる。光学系１４０は光学画像を生成し、この光学画像は撮像モジュール１１５によってデジタル画像に変換される。撮像モジュール１１５は、電荷結合素子（ＣＣＤ）またはＣＭＯＳ技術、アナログ／デジタル変換器（Ａ／Ｄ）、利得制御、およびデジタル信号プロセッサ（ＤＳＰ）（図１Ａに図示せず）をベースとしたフォトセンサアレイを含むことができる。入力制御機構１３５は、中間位置（「Ｓ１」）および画像取り込み位置（「Ｓ２」）を有するシャッタリリースボタン、ナビゲーションボタン、メニューボタン、および「ＯＫ」ボタン（図１Ａに図示せず）を備えることができる。デジタル撮像装置１００は、デジタルカメラ、デジタルカムコーダ、または光学画像をデジタル画像に変換可能な他の同様の任意の装置であることができる。
【００１２】
図１Ｂは、本発明の例示的な実施形態によるメモリ１２０の図である。メモリ１２０は、ランダムアクセスメモリ（ＲＡＭ）１４５、不揮発性メモリ１５０、および視線追跡解析ロジック１５５をさらに備えることができる。不揮発性メモリ１５０は、少なくとも部分的に、取り外し可能なものの類であってもよい。視線追跡解析ロジック１５５は、コントローラ１０５によって実行されるファームウェア命令またはソフトウェア命令を含みうる。別の実施形態では、視線追跡解析ロジック１５５は、カスタムハードウェアとして実施することができる。
【００１３】
概して、視線追跡解析ロジック１５５は、視線追跡サブシステム１３０の出力を解析し、それに従って、デジタル撮像装置１００の１つまたは複数の機能またはパラメータを設定する。視線追跡解析ロジック１５５は、注視持続時間測定ロジック１６０、加重ロジック１６５、および機能制御ロジック１７０を含むことができる。注視持続時間測定ロジック１６０は、画像合成プロセス中のユーザの注視の軌道を解析し、そして、その軌道を時間参照に関連付けることによって、ユーザの注視が留まっているシーン内の位置（「滞留位置」）を特定する。滞留位置は、たとえば、シーンの特定のポイントを特定する一対の座標によって特定することができる。代替として、滞留位置は、幾何学的図形を画定するポイントの集合によって境界が定められるシーンのいくらかより大きな小領域であってもよい。重みづけロジック１６５は、特定された滞留位置に重みづけアルゴリズムを適用して、シーン内の平均位置を決定する。この平均位置に基づいて、デジタル撮像装置１００の１つまたは複数の機能が設定される。機能制御ロジック１７０は、重みづけされた滞留位置に従ってデジタル撮像装置１００の１つまたは複数の機能を設定することができる。この説明の中で後でさらに詳細に説明する別の実施形態では、パラメータ設定の際に複数の重みづけされた滞留位置の代わりに、Ｓ１が押下された瞬間に基づいた単一の滞留位置を採用することができるため、重みづけロジック１６５を省いてもよい。この実施形態では、注視持続時間測定ロジック１６０は、この単一の滞留位置（Ｓ１が起動された時の注視方向）を測定するように構成することができる。
【００１４】
視線追跡サブシステム１３０は、関連分野において既知の技法を用いて実施することができる。視線追跡サブシステム１３０は、たとえば、赤外線（ＩＲ）源を使用してユーザの目を照明することができる。レンズおよびミラーを使用して、ユーザの目から反射された光学ＩＲ画像をフォトセンサ（たとえば、ＣＣＤセンサアレイ）上に合焦・配向することができる。結果得られるＩＲ画像における角膜、瞳孔、または網膜の位置を解析することによって、ユーザが注視している方向を決定することができる。次に、測定された注視方向は、画像合成プロセス中にユーザが注視しているシーンの特定部分に関連付けることができる。視線追跡システムでは通常、特定のユーザの目の特定の特徴が、以降の参照のために格納される較正手続きが必要である。
【００１５】
従来技術によるカメラでのオートフォーカスのための視線追跡制御は通常、２つのモードのうちの一方で動作する。「ワンショット」モードでは、視線追跡サブシステム１３０は、ユーザがＳ１を起動した瞬間のユーザの注視方向を検知する。代替の「サーボ」モードでは、画像合成プロセス全体を通して、視線追跡を連続して行うことができる。Canon製の一眼レフ（ＳＬＲ）フィルムカメラによっては、サーボモードにおいて、画像合成プロセス全体を通して動作しうる高度な視線追跡制御のオートフォーカスを包含しているものがある。この技術は、たとえば、米国特許第６，０３５，０５４号に詳細に記載されており、その開示は参照により本明細書中で援用される。
【００１６】
図２Ａおよび図２Ｂは、本発明の例示的な実施形態における、一つの、および複数の滞留位置をそれぞれ使用する例を示す。両方の図において、シーン２０５はデジタル撮像装置１００のディスプレイ１２５内に表示される。図２Ａでは、単一の滞留位置２１０が、Ｓ１が起動された瞬間に特定される。オートフォーカス、自動露出、および自動カラーバランス等の機能は、滞留位置２１０におけるシーンの特徴（たとえば、距離または色）に従ってデジタル撮像装置１００で調整することが可能である。図２Ｂでは、注視持続時間測定ロジック１６０が、Ａ〜Ｄとラベルされる４つの一連の滞留位置２１０を特定した。Ａは最も古いものであり、Ｄは最も新しいものである。注視持続時間測定ロジック１６０は、このような滞留位置を、たとえば、関連する滞留時間がしきい値を越える、シーン内の任意の位置に注目することによって特定することができる。この一連の滞留位置２１０は、様々な方法で重みづけして、デジタル撮像装置１００の機能設定のベースとなるシーン２０５中の一部を特定することができる。たとえば、一実施形態では、最も新しい滞留位置を、他のすべての滞留位置を除外して使用することができる。代替として、複数の滞留位置を線形的または非線形的に重みづけして、シーン２０５内の重みづけ位置を生成してもよい。たとえば、滞留位置の新しさおよび／または滞留時間がスケーリングされて合算され、デジタル撮像装置１００の１つまたは複数の機能の設定のベースとなりうるシーン２０５内の重みづけ位置を生成する、多種多様な数学的表現を考案することが可能である。一実施形態では、最も長い滞留時間を有する最も新しい滞留位置が、これら基準を満たしていない他の滞留位置よりも重く重みづけされる。
【００１７】
単一の滞留位置２１０または重みづけ位置が一度決定されると、デジタル撮像装置１００からのシーン２０５のその部分の距離に基づいて通常通り、オートフォーカスを最適化することができる。自動露出の場合、デジタル撮像装置１００の露出設定を、単一の滞留位置２１０または重みづけ位置を取り巻く領域に基づいて最適化することができる。自動カラーバランスについても同じことが言える。たとえば、シーン中の特定の影を強調したいユーザは、シーン２０５のその部分を注視して、滞留位置２１０（または重みづけ滞留位置の場合は優勢な滞留位置）として影を築くことができる。そして、自動露出設定および／または自動カラーバランス設定は、その影に有利なように最適化することができる。ユーザに、シーン２０５が取り込まれたデジタル画像で見えるようにシーン２０５のプレビューを提供することにより、ユーザは、その影が最終的な取り込み画像でどのように表現されるかを即座に見ることができる。その結果、画像が合成されているとき、ユーザの目の先にある影が改善される。
【００１８】
図３は、本発明の例示的な実施形態によるデジタル撮像装置１００の動作のフローチャートである。３０５において、Ｓ１の起動により制御が３１０に進み、Ｓ１が起動されたときの１つの注視方向が、注視持続時間測定ロジック１６０によって測定される。これは上に述べたワンショット視線追跡制御である。測定された注視方向が、シーン２０５に対する角度の解析を通して関連付けられて、一つの滞留位置２１０が特定される。３１５において、機能制御ロジック１７０が、測定された注視位置２１０に従って１つまたは複数の機能（たとえば、オートフォーカス、自動露出、または自動カラーバランス）を設定することができる。オプションとして、３２０において、シーン２０５が取り込まれたデジタル画像でどのように見えるかのプレビューをディスプレイ１２５に表示することができる。Ｓ２に応答して、３２５において、デジタル画像を取り込むことができる。オプションとして、３３０において、デジタル画像に関連する滞留位置２１０を、デジタル画像とともにメタデータとして格納することができる。たとえば、メタデータは、Ｊｏｉｎｔ  Ｐｈｏｔｏｇｒａｐｈｉｃ  Ｅｘｐｅｒｔｓ  Ｇｒｏｕｐ（ＪＰＥＧ）ファイルのヘッダの一部を占有しうる。次に、プロセスは３３５において終了する。
【００１９】
図４は、本発明の例示的な別の実施形態によるデジタル撮像装置１００の動作のフローチャートである。３０５におけるＳ１に応答して、４０５において、視線追跡サブシステム１３０が画像合成プロセス全体を通してユーザの注視方向の追跡を開始する。４１０において、注視持続時間測定ロジック１６０が、視線追跡サブシステム１３０の出力を解析して、滞留位置２１０を特定する。４１５において、重みづけロジック１６５が、それまでに特定された滞留位置２１０を処理する。４２０において、機能制御ロジック１７０は、重みづけ滞留位置２１０に従って、オートフォーカス、自動露出、または自動カラーバランス等、デジタル撮像装置１００の１つまたは複数の機能を調整することができる。４２５において、シーン２０５が取り込まれたデジタル画像で見えるようにシーン２０５のプレビューをディスプレイ１２５に表示することができる。４３０におけるＳ２に応答して、４３５において、デジタル画像を取り込むことができる。４４０において、少なくとも単一の滞留位置およびそれに関連する滞留時間を、取り込まれたデジタル画像とともにメタデータとして格納することができる。この実施形態では、オプションとして、ユーザの注視パターンの豊富な履歴を、関連するデジタル画像とともに格納することができる。次に、プロセスは４４５において終了する。
【００２０】
図５は、本発明の例示的なさらに別の実施形態によるデジタル撮像装置１００の動作のフローチャートである。図５に示すプロセスは、５０５において、機能制御ロジック１７０が、デジタル撮像装置１００によるデジタル撮像装置１００の１つまたは複数の機能の設定が、シーン２０５全体ではなくシーン２０５の局限化された小領域に適用されること以外は、図４と同様である。たとえば、カラーバランスの調整をシーン２０５内の空に限定して、取り込まれたデジタル画像中の他の場所のカラーバランスに影響を及ぼすことなく、雲の見た目を向上させることが可能である。デジタル撮像装置１００のこのようなモードは、自動的に、メニューを介しての事前選択により、または入力制御機構１３５を使用しての合成中のインタラクティブなユーザ制御により、起動することができる。５１０において、プレビューをディスプレイ１２５に表示して、取り込まれたデジタル画像で、局限化された小領域がどのように見えるかを示すことができる。
【００２１】
本発明のさらに別の例示的な実施形態では、デジタル撮像装置１００のオートフォーカス等の機能は、滞留位置２１０に基づいて設定されない。むしろ、１つまたは複数の滞留位置２１０が単に特定され、デジタル撮像装置１００によって取り込まれた対応するデジタル画像とともに、メタデータとして格納される。オプションとして、滞留位置２１０に関連する、測定された滞留時間を、格納されるメタデータに包含することができる。
【００２２】
図６は、本発明の例示的な実施形態による、メタデータが付随するデジタル画像を後処理するデジタル画像処理装置６００の機能ブロック図である。デジタル画像処理装置６００は、たとえば、デスクトップパーソナルコンピュータ（ＰＣ）、ノート型コンピュータ、デジタルカメラ、個人情報端末（ＰＤＡ）、またはデジタル画像を格納し処理することの可能な同様の任意の装置を含むことができる。図６では、コントローラ６０５が、データバス６１０を介してメモリ６１５と通信する。メモリ６１５は、画像変更ロジック６２０および制御ロジック６２５をさらに備えることができる。これら構成要素は、たとえば、コントローラ６０５で実行されるソフトウェアプログラム命令またはファームウェアプログラム命令として実施することができる。他の実施形態では、コントローラ６０５、メモリ６１５、画像変更ロジック６２０、および制御ロジック６２５によって提供される機能は、代わりに、カスタムハードウェアで実施することができる。画像変更ロジック６２０は、デジタル画像に対して様々な変更を行うように構成される。例としては、クロッピング、露出補正、カラーバランス補正、および階調再現の補正が挙げられる。画像変更ロジック６２０の機能は、たとえば、ＰＣ上で実行されている画像編集アプリケーションで実現することができる。制御ロジック６２５は、上に述べたようなメタデータ（単一の滞留位置、またはそれぞれに滞留時間が関連付けられた複数の滞留位置）を解釈し、画像変更ロジック６２０の機能を、メモリ６１５に格納されているデジタル画像に自動的に適用する。したがって、デジタル画像とともに格納されるメタデータは、ユーザの介入の必要なしで、ユーザにとって最も重要な画像の部分に従って画像を自動的に後処理することに役立つ。
【００２３】
図７Ａは、単一の滞留位置２１０（たとえば、デジタル画像７０５内の座標）が本発明の例示的な実施形態により格納されたデジタル画像７０５の図である。デジタル画像７０５は、ＡおよびＢとラベルされる２つの人物を含む。デジタル画像７０５とともに格納された滞留位置２１０は、人物Ａの顔にセンタリングされ、デジタル画像７０５が取り込まれたときに、撮影者は人物Ｂよりも人物Ａにより関心を持っていたかもしれないことを示している。制御ロジック６２５および画像変更ロジック６２０による自動後処理後、図７Ｂに示すクロッピングされたデジタル画像７１０が生成されうる。画像変更ロジック６２０のクロッピングアルゴリズムは、写真分野で既知の「三分割の法則」等様々な法則に従って構成することができる。より高度な法則を適用する（滞留位置を単にクロッピング画像７１０の厳密な中心に配置することとは対照的に）と、より審美的に満足のいく専門家的な見た目のクロッピング画像７１０が得られる。格納されている単一の滞留位置に基づく自動後処理は、自動露出補正または階調再現の自動補正にも適用することが可能である。
【００２４】
複数の滞留位置２１０およびそれぞれに関連する滞留時間を含む豊富な注視方向履歴が、デジタル画像とともに格納されている場合、デジタル画像処理装置６００は、より複雑な自動クロッピング、露出補正、または階調再現の補正を行うことができる。たとえば、メタデータとして、関連する４つの滞留位置２１０Ａ〜Ｄ、およびそれぞれに関連する滞留時間を含む、図２Ｂにおいてシーン２０５から生成されるデジタル画像は、自動的にクリッピングされて、図７Ｃに示すような画像を生成することができる。制御ロジック６２５は、たとえば、２１０Ａよりも新しく、この例では、より長いと仮定される滞留時間を有する図２Ｂ中の滞留位置２１０Ｂ、２１０Ｃ、および２１０Ｄに基づいて図７Ｃの画像を生成することができる。代替として、１つまたは複数の自動的に後処理された画像を、オプションとして元の変更されていない画像を付随させてユーザに提示し、ユーザが、好ましい自動的に変更された画像を選択してもよい。この実施形態では、様々な自動後処理済画像が、滞留位置２１０ならびにそれぞれに関連する時間順および滞留時間から導出されるユーザの関心についての異なる仮定に基づきうる。
【００２５】
図８は、本発明の別の例示的な実施形態による、図６に示すデジタル画像処理装置６００の動作のフローチャートである。８０５において、上述したように１つの滞留位置２１０を含むメタデータが格納されているデジタル画像が提供される。８１０において、制御ロジック６２５が滞留位置２１０を解釈し、画像変更ロジック６２０の１つまたは複数の機能を自動的に適用して、変更されたデジタル画像を生成することができる。次に、プロセスは８１５において終了する。
【００２６】
図９は、本発明の別の例示的な実施形態による、図６に示すデジタル画像処理装置６００の動作のフローチャートである。９０５において、少なくとも１つの滞留位置２１０およびそれに関連する滞留時間を含むメタデータがともに格納されているデジタル画像が提供される。９１０において、制御ロジック６２５が滞留位置２１０を解釈し、重みづけする。たとえば、制御ロジック６２５は、それぞれの時間順（それぞれが順次発生する場合）およびそれぞれに関連付けられた滞留時間に従って滞留位置２１０を重みづけすることができる。制御ロジック６２５は次に、９１５において、画像変更ロジック６２０の１つまたは複数の機能をデジタル画像に自動的に適用して、変更されたデジタル画像を生成することができる。次に、プロセスは９２０において終了する。
【００２７】
本発明の上記説明は、例示および説明のために提示された。網羅的、すなわち本発明の開示された厳密な形態に限定する意図はなく、他の変更および変更が上記教示に鑑みて可能でありうる。実施形態は、本発明の原理およびその実際の応用を最良に説明し、それによって、当業者が、意図する特定の用途に適した各種実施形態および各種変更で本発明を最良に利用することができるように選択され説明されたものである。添付の特許請求の範囲は、従来技術によって制限される範囲を除き、本発明の他の代替の実施形態を含むものと解釈するよう意図される。
【図面の簡単な説明】
【００２８】
【図１Ａ】本発明の例示的な実施形態によるデジタル撮像装置の機能ブロック図。
【図１Ｂ】本発明の例示的な実施形態による、図１Ａに示すデジタル撮像装置のメモリの図。
【図２Ａ】本発明の例示的な実施形態による、ユーザの注視が向けられている単一の滞留位置の図。
【図２Ｂ】本発明の別の例示的な実施形態による、画像合成プロセス中に、シーン内のユーザの注視が留まっている一連の滞留位置の図。
【図３】本発明の例示的な実施形態による、図１Ａおよび図１Ｂに示すデジタル撮像装置の動作のフローチャート。
【図４】本発明の別の例示的な実施形態による、図１Ａおよび図１Ｂに示すデジタル撮像装置の動作のフローチャート。
【図５】本発明のさらに別の例示的な実施形態による、図１Ａおよび図１Ｂに示すデジタル撮像装置の動作のフローチャート。
【図６】本発明の例示的な実施形態による、メタデータが付随したデジタル画像を後処理するデジタル画像処理装置の機能ブロック図。
【図７Ａ】本発明の例示的な実施形態による、単一の滞留位置が格納されたデジタル画像の図。
【図７Ｂ】本発明の例示的な実施形態による、デジタル画像とともに格納された滞留位置に基づいて自動的にクロッピングされた後の、図７Ａに示すデジタル画像の図。
【図７Ｃ】本発明の別の例示的な実施形態による、図２に示す滞留位置の重みづけに基づいて自動的にクロッピングされた後の、図２Ｂに示すシーンに対応するデジタル画像の図。
【図８】本発明の例示的な実施形態による図６に示すデジタル画像処理装置の動作のフローチャート。
【図９】本発明の別の例示的な実施形態にる図６に示すデジタル画像処理装置の動作のフローチャート。
【図１Ａ】
2005033768.tif 000003
【図１Ｂ】
2005033768.tif 000004
【図２Ａ】
2005033768.tif 000005
【図２Ｂ】
2005033768.tif 000006
【図３】
2005033768.tif 000007
【図４】
2005033768.tif 000008
【図５】
2005033768.tif 000009
【図６】
2005033768.tif 000010
【図７Ａ】
2005033768.tif 000011
【図７Ｂ】
2005033768.tif 000012
【図７Ｃ】
2005033768.tif 000013
【図８】
2005033768.tif 000014
【図９】
2005033768.tif 000015